(57)【要約】      （修正有）【課題】製造が容易で、かつ施工も容易で、タイルにクラックが生じにくい複合建材を提供する。【解決手段】支持板１２の側面に接着剤によりタイル１４を接合する。接着剤として緩衝作用を有するものを使用する。支持板としてベニヤ板を用いる。支持板の端縁に隣接する他の支持部材と嵌め合わせるための凹凸部１５、１６を形成する。【選択図】図１
0003196961.tif 000002
【実用新案登録請求の範囲】
【請求項１】
支持板の側面に接着剤によりタイルを接合した複合建材。
【請求項２】
前記支持板としてベニヤ板を用いた請求項１に記載の複合建材。
【請求項３】
前記支持板の端縁に、隣接する他の支持板と嵌め合わせるための凹凸部を形成した請求項１または２に記載の複合建材。
【請求項４】
支持板の端面に凹部を形成し、隣接する支持板の凹部間に連結される連結片を設けた請求項１〜３のうちのいずれか一項に記載の複合建材。
【請求項５】
支持板の端面に、隣接する他の支持板の端縁との間に目地が形成されるようにした目地形成手段を設けた請求項１〜４のうちのいずれか一項に記載の複合建材。
【請求項６】
目地の合わせ目が目地内に存在しないように規制するための規制手段を設けた請求項１〜３のうちのいずれか一項に記載の複合建材。
【考案の詳細な説明】
【技術分野】
【０００１】
本考案は、板状のタイルを支持板に接合して構成した複合建材に関するものである。
【背景技術】
【０００２】
一般に、床や壁に対するタイルの貼り付けにおいては、貼り付け下地を高精度に平滑に仕上げるとともに、タイル貼り付けも高精度に行わないと、貼り付けられたタイルに凹凸が生じたり、タイルが斜めになったりしてタイル壁やタイル床の外観が低下するだけではなく、貼り付け後にタイルや目地が割れたりする問題が生じる。このため、タイルの貼り付けは、未熟練者には困難であって、高い技能を有する専門業者等に依存されてきた。また、タイルを保管や運搬、あるいは施工において慎重に取り扱わないと、タイルどうしが当たったり、落ちたりして、タイルが破損するおそれがあった。これらのことから、タイル貼り付けをともなう建設工事には、タイル施工業者の手配を欠かせることができない。
【０００３】
一方、特許文献１には、タイル付きパネルユニットが開示されている。このタイル付きパネルユニットは、タイルが外面に露出する状態で、板状のコンクリートにタイルを埋設したものである。そして、前記コンクリートは配筋材を有している。
【先行技術文献】
【特許文献】
【０００４】
【特許文献１】特開平５−２５９０４号公報
【考案の概要】
【考案が解決しようとする課題】
【０００５】
前記特許文献１の従来技術においては、コンクリートの一側面においてタイルが露出するように、かつその背面側に配筋材が位置するように同コンクリートを成形型内に打設して硬化させる必要があって、製造に手間がかかるものである。
【０００６】
また、コンクリートにはクラックが生じるおそれがあり、それ以上の確率でタイルにクラックが生じるおそれがある。つまり、タイルにはコンクリートのような配筋材が存在しないためにクラックが生じやすく、しかもタイルとコンクリートとの間に熱膨張率の差があることや、両者間に緩衝作用のある部材が介在されていないこと等により、タイルクラックのおそれが倍加する。特に、タイルが大判タイプである場合には、このおそれがさらに高くなる。
【０００７】
また、この特許文献１のタイル付きパネルユニットにはコンクリートが用いられていることから、重いために建材として施工する場合に苦渋作業を強いられ、前述のクラックの生じやすさと相まって、室内の壁として用いることには適さない。
【０００８】
本考案の目的は、製造が容易で、かつ未熟練者であっても施工が容易で、大判タイルであってもそのタイルにクラックが生じにくい複合建材を提供することにある。
【課題を解決するための手段】
【０００９】
上記の目的を達成するために、本考案は、支持板の側面に接着剤によりタイルを接合したことを特徴とするものである。
上記の構成によれば、タイルが支持板に接着剤を介して接合されているため、接着剤の緩衝作用により、タイルが大判であっても、そのタイルにクラックが生じることが抑えられる。また、コンクリートを用いないため、製造しやすく、しかも軽量である。このため、この複合建材は取扱いが容易で、タイル貼り付けの未熟練者であっても室内の壁や床に外観よく施工することに適する。
【考案の効果】
【００１０】
以上のように、本考案によれば、製造が容易で、かつ施工も容易で、しかもタイルにクラックが生じにくい複合建材を実現できる。
【図面の簡単な説明】
【００１１】
【図１】第１実施形態の複合建材の斜視図。
【図２】複合建材の断面図。
【図３】複合建材の一部破断平面図。
【図４】複合建材の施工状態を示す斜視図。
【図５】複合建材の施工状態を示す断面図。
【図６】第２実施形態の複合建材の斜視図。
【図７】複合建材の断面図。
【図８】複合建材の一部平面図。
【図９】複合建材の施工状態を示す断面図。
【考案を実施するための形態】
【００１２】
以下に、本考案を具体化した第１実施形態を図面に従って説明する。
図１〜図３に示すように、本実施形態における複合建材１１は、ベニヤ板よりなる四角形の支持板１２と、その支持板１２上に接着剤１３を介して接着された四角板状のタイル１４とを有している。
【００１３】
前記支持板１２の隣接する２辺には凸条１５が形成されるとともに、残りの隣接する２辺には凹部としての凹溝１６が形成されている。これらの凸条１５及び凹溝１６により支持板１２の端縁どうしを嵌め合わせるための凹凸部が構成されている。そして、図５に示すように、凸条１５及び凹溝１６を隣接する他の支持板１２の凹溝１６及び凸条１５と嵌め合わせることにより、図４に示すように、複合建材１１が連結される。
【００１４】
前記タイル１４を接着するための接着剤１３は硬化状態において緩衝作用を有している。この接着剤１３としては、例えば、ウレタン樹脂系あるいはエポキシ樹脂系のものが使用されている。
【００１５】
図２及び図５に示すように、同図において、前記支持板１２の端面において、凹溝１６の下側の部分２３は凹溝１６の上側の部分２４より突出し、それに合わせて凸条１５の突出度合いが設定されている。このため、凸条１５と凹溝１６との嵌め合わせ状態において、支持板１２及びタイル１４の端面間に目地２１が形成されるようになっている。また、この目地２１の形成状態において、凸条１５と前記下側の部分２３とにより、隣接する支持板１２の合わせ目が目地２１内に存在しないように規制される。従って、凸条１５と下側の部分２３とにより目地形成手段及び規制手段が構成されている。
【００１６】
前記目地２１内には目地材２２が充填される。
以上のように構成された複合建材１１は以下のようにして施工される。
すなわち、支持板１２の凸条１５を隣接する他の支持板１２の凹溝１６に嵌める。このようにすれば、隣接する複合建材１１どうしが連結される。この場合、凸条１５と凹溝１６との固定のために接着剤を用いてもよい。このように連結すれば、隣接する支持板１２及びタイル１４の端面間に目地２１が形成される。このため、この目地２１に対してコーキング材等の目地材２２が充填される。このようにして、床板や壁板が形成される。
【００１７】
本実施形態では以下の効果がある。
（１）特許文献１とは異なり、タイル１４を支持するためにコンクリートを用いないため、複合建材１１の製作が容易である。
【００１８】
（２）前記のように、タイル１４を支持するためにコンクリートを用いないため、複合建材１１は軽くて取り扱いが容易であり、従って、複合建材１１を室内壁に施工する場合であっても、その施工が容易である。
【００１９】
（３）凸条１５と凹溝１６との嵌め合いにより、タイル１４を床や壁に設けることができるため、下地を高精度に形成する必要性を減じることができ、大判タイルであっても、そのタイル１４を熟練を要することなく容易に施工できる。従って、タイル貼り付けの専門施工業者等の熟練者が不要になり、建設工事における業者の手配作業を簡素化できる。
【００２０】
（４）タイル１４が木製の支持板１２上に接合されているため、支持板１２の緩衝作用により、大判タイル１４であっても、その大判タイル１４のクラック発生を抑えることができる。従って、タイルの保管や運搬あるいは施工における取扱いが容易になる。
【００２１】
（５）しかも、タイル１４が緩衝作用を有する接着剤１３によって支持板１２に支持されているため、接着剤１３の緩衝作用によってクラック発生がさらに抑制される。
（６）支持板１２間の合わせ目が目地２１のところを外れて位置するようになっているため、目地２１に目地材２２を充填した状態において目地材２２に段差やクラックが生じることを抑えることができる。
【００２２】
（７）タイル１４の色や表面模様を適宜に選択すれば、所要のデザインの床や壁を得ることができる。
次に、本考案の第２実施形態を図６〜図９に基づいて説明する。
【００２３】
本実施形態においては、支持板１２の四辺に凹溝１６が形成されている。前記第１実施形態のような辺の突出した部分２３は形成されていない。また、本実施形態では、隣接する支持板１２の凹溝１６間に嵌め合わせ連結される連結片３１が用いられる。この連結片３１は、図８から明らかなように、例えば施工現場において、適宜な長さに切断されて用いられる。この場合、連結片３１の幅の大小によって目地２１の有無や開き幅を調節できる。従って、連結片３１が目地形成手段を構成する。なお、連結片３１と凹溝１６との接着のために接着剤を用いてもよい。
【００２４】
従って、本実施形態では以下の効果がある。
（８）支持板１２の四辺に凹溝１６が形成されて、その凹溝１６において連結片３１により支持板１２どうしが連結される。そして、タイル貼り付け領域の端部の凹溝１６には連結片３１は用いられない。従って、支持板１２の向き、すなわちタイル１４の向きに制約は存在しない。このため、支持板１２、すなわちタイル１４の配置において方向性を考慮しないことが可能になる。このため、施工性が向上するとともに、タイル貼り付けのデザイン面において制約が少なくなる。
【００２５】
なお、本考案は前記第１、第２実施形態に限定されるものではなく、以下のような態様で具体化してもよい。
・隣接するタイル１４間に目地２１が形成されないように、凸条１５の突出度合い等を設定すること。
【００２６】
・凸条１５及び凹溝１６を省略し、複合建材１１が端面どうしに突き合わせによって連結されるように構成すること。
・支持板１２として、ウレタンやポリエステル等の合成樹脂板を用いること。
【符号の説明】
【００２７】
１１…複合建材、１２…支持板、１３…接着剤、１４…タイル、１５…凸条、１６…凹溝、２１…目地、２２…目地材、３１…連結片。
【図１】
0003196961.tif 000003
【図２】
0003196961.tif 000004
【図３】
0003196961.tif 000005
【図４】
0003196961.tif 000006
【図５】
0003196961.tif 000007
【図６】
0003196961.tif 000008
【図７】
0003196961.tif 000009
【図８】
0003196961.tif 000010
【図９】
0003196961.tif 000011